(57)【特許請求の範囲】
【請求項１】
並列に接続された複数の増幅器を含む増幅部と、
前記増幅部によって増幅される信号の瞬時電力の所定期間の頻度分布を測定し、または前記信号の瞬時電圧の前記所定期間の頻度分布を測定する測定部と、
前記測定部によって測定された頻度分布に基づく前記増幅部の増幅の効率を、前記増幅部の所定のパラメータの複数の候補値について算出する算出部と、
前記算出部によって前記複数の候補値について算出された効率に基づいて前記所定のパラメータを制御する制御部と、
を備えることを特徴とする増幅装置。
【請求項２】
前記増幅部は、出力電圧に対する増幅の効率の特性に極大点を複数有し、
前記所定のパラメータは、前記複数の極大点に対応する複数の前記出力電圧のうちの最大ではない中間電圧を含み、
前記制御部は、前記複数の増幅器のうちの少なくとも一方の増幅器への供給電圧を変化させることにより前記中間電圧を制御することを特徴とする請求項１に記載の増幅装置。
【請求項３】
前記所定のパラメータは、前記複数の増幅器のうちの少なくとも一方の増幅器への供給電圧を含むことを特徴とする請求項１または２に記載の増幅装置。
【請求項４】
前記所定期間は周期的な期間であり、
前記測定部は、前記周期的な期間のそれぞれについて前記頻度分布を測定することを特徴とする請求項１〜３のいずれか一つに記載の増幅装置。
【請求項５】
前記測定部は、周期的な第一期間のそれぞれの前記頻度分布を測定すると同時に、前記第一期間より周期が短い周期的な第二期間のそれぞれの前記頻度分布を測定し、
前記算出部は、前記第一期間の前記頻度分布に基づく前記増幅部の増幅の第一効率と、前記第二期間の前記頻度分布に基づく前記増幅部の増幅の第二効率と、のそれぞれを前記複数の候補値について算出し、
前記制御部は、前記算出部によって算出された第一効率に基づいて前記所定のパラメータを制御する第一制御において、前記算出部によって算出された第二効率に基づいて前記信号の瞬時電力の頻度分布の変化を検出した場合に、前記算出部によって算出された第二効率に基づいて前記所定のパラメータを制御する第二制御に切り替えることを特徴とする請求項１〜４のいずれか一つに記載の増幅装置。
【請求項６】
前記測定部は、前記信号の性質の変化のタイミングを示す情報に基づいて、前記信号の性質が変化した直後の期間の前記頻度分布を測定することを特徴とする請求項１〜５のいずれか一つに記載の増幅装置。
【請求項７】
前記信号は、複数系統の信号からシリアル変換された一系統の信号であり、
前記測定部は、所定時刻における前記複数系統の信号の各瞬時電力の分布を測定し、または前記所定時刻における前記複数系統の信号の各瞬時電圧の分布を測定することにより、前記一系統の信号の前記所定期間の頻度分布を測定することを特徴とする請求項１〜６のいずれか一つに記載の増幅装置。
【請求項８】
前記制御部は、制御した前記供給電圧と、前記瞬時電力または前記瞬時電圧と、前記瞬時電力または前記瞬時電圧における前記増幅部の増幅の効率と、を対応付けた対応情報を記憶部に記憶し、
前記算出部は、前記記憶部に記憶した対応情報に基づいて、前記頻度分布に基づく前記増幅部の増幅の効率を前記複数の候補値について算出することを特徴とする請求項３に記載の増幅装置。
【請求項９】
前記算出部は、第一の所定期間における前記増幅部の増幅の効率を、前記第一の所定期間より前の、前記第一の所定期間と重複する期間を有する第二の所定期間の前記頻度分布に基づいて算出済みの前記増幅部の増幅の効率と、前記第一の所定期間および前記第二の所定期間のうちの互いに重複していない期間における前記増幅部の増幅の効率と、に基づいて算出することを特徴とする請求項１〜８のいずれか一つに記載の増幅装置。
【請求項１０】
並列に接続された複数の増幅器を含む増幅部の制御方法において、
前記増幅部によって増幅される信号の瞬時電力の所定期間の頻度分布を測定し、または前記信号の瞬時電圧の前記所定期間の頻度分布を測定し、
測定した前記頻度分布に基づく前記増幅部の増幅の効率を、前記増幅部の所定のパラメータの複数の候補値について算出し、
前記複数の候補値について算出した前記頻度分布に基づく前記増幅部の増幅の効率に基づいて前記所定のパラメータを制御することを特徴とする制御方法。
【発明の詳細な説明】
【技術分野】
【０００１】
本発明は、増幅装置および制御方法に関する。
【背景技術】
【０００２】
従来、たとえば通信装置において、高周波信号の増幅にドハティ増幅器が用いられている。ドハティ増幅器の出力電力に対する効率の特性においては、効率のピーク点が、出力電力の中間点および最大点に存在する。たとえば、ドハティ増幅器は、キャリア増幅器のドレイン電圧を変更するとピーク点の出力電力が変化し、ピーク増幅器のドレイン電圧を変更すると最大点の出力電力が変化する。
【０００３】
ドハティ増幅器においては、たとえば、入力信号の平均電力に基づいてキャリア増幅器のドレイン電圧が設定され、入力信号のピーク電力に基づいてピーク増幅器のドレイン電圧が設定される（たとえば、下記特許文献１参照。）。送信信号の変調方式や信号多重方式（たとえばキャリア数）が変わるとＰＡＰＲ（Ｐｅａｋ  ｔｏ  Ａｖｅｒａｇｅ  Ｐｏｗｅｒ  Ｒａｔｉｏ：ピーク電力対平均電力比）が変化する。このため、ドハティ増幅器においては、信号の特徴に応じて、出力電力に対する効率の特性を制御することが求められる。
【先行技術文献】
【特許文献】
【０００４】
【特許文献１】特開２０１０−１１４５３９号公報
【発明の概要】
【発明が解決しようとする課題】
【０００５】
しかしながら、上述した従来技術では、入力信号の平均電力に基づいて電圧を制御するため、入力信号の特徴が電圧の制御に反映されず、増幅の効率を精度よく制御することができない場合がある。
【０００６】
本発明は、上述した従来技術による問題点を解消するため、増幅の効率を精度よく制御することができる増幅装置および制御方法を提供することを目的とする。
【課題を解決するための手段】
【０００７】
上述した課題を解決し、目的を達成するため、本発明の一側面によれば、並列に接続された複数の増幅器を含む増幅部について、前記増幅部によって増幅される信号の瞬時電力または瞬時電圧の所定期間の頻度分布を測定し、測定した前記頻度分布に基づく前記増幅部の増幅の効率を、前記増幅部の所定のパラメータの複数の候補値について算出し、前記複数の候補値について算出した前記頻度分布に基づく前記増幅部の増幅の効率に基づいて前記所定のパラメータを制御する増幅装置および制御方法が提案される。
【発明の効果】
【０００８】
本発明の一側面によれば、増幅の効率を精度よく制御することができるという効果を奏する。
【図面の簡単な説明】
【０００９】
【図１】図１は、実施の形態１にかかる増幅装置の構成の一例を示す図である。
【図２】図２は、増幅装置の具体的な構成の一例を示す図である。
【図３】図３は、瞬時電力系列の一例を示す図である。
【図４】図４は、測定区間の一例を示す図である。
【図５】図５は、瞬時電力分布の一例を示す図である。
【図６】図６は、ドハティ増幅器の瞬時効率特性の一例を示す図である。
【図７】図７は、総合効率の算出結果の一例を示す図である。
【図８】図８は、増幅装置を適用した信号処理装置の一例を示す図である。
【図９】図９は、実施の形態２にかかる増幅装置の構成の一例を示す図である。
【図１０】図１０は、ドハティ増幅器の瞬時電力ごとの瞬時効率特性の一例を示す図である。
【図１１】図１１は、総合効率の算出結果の一例を示す図である。
【図１２】図１２は、実施の形態２にかかる増幅装置の変形例を示す図である。
【図１３】図１３は、実施の形態３にかかる増幅装置の構成の一例を示す図である。
【図１４】図１４は、信号の特徴と瞬時電力分布番号との関係の一例を示す図である。
【図１５】図１５は、瞬時電力分布番号と各電圧の組み合わせとの対応情報の一例を示す図である。
【図１６−１】図１６−１は、信号処理装置の変形例１を示す図である。
【図１６−２】図１６−２は、信号処理装置の変形例２を示す図である。
【図１６−３】図１６−３は、信号処理装置の変形例３を示す図である。
【図１６−４】図１６−４は、信号処理装置の変形例４を示す図である。
【図１７−１】図１７−１は、測定区間の変形例１を示す図である。
【図１７−２】図１７−２は、測定区間の変形例２を示す図である。
【図１７−３】図１７−３は、測定区間の変形例３を示す図である。
【図１８】図１８は、図１７−３に示した測定区間による制御のための動作の一例を示すフローチャートである。
【図１９】図１９は、効率算出回路の動作の変形例を示す図である。
【図２０−１】図２０−１は、ドハティ増幅器の制御の変形例１を示す図である。
【図２０−２】図２０−２は、ドハティ増幅器の制御の変形例２を示す図である。
【図２１】図２１は、電力の検出方法の変形例を示す図である。
【図２２】図２２は、図２１に示した電力の検出方法のタイミングの一例を示す図である。
【図２３】図２３は、増幅装置の変形例１を示す図である。
【図２４】図２４は、増幅装置の変形例２を示す図である。
【図２５】図２５は、図２３または図２４に示した増幅装置の更新動作の一例を示すフローチャートである。
【発明を実施するための形態】
【００１０】
以下に添付図面を参照して、本発明にかかる増幅装置および制御方法の実施の形態を詳細に説明する。
【００１１】
（実施の形態１）
（実施の形態１にかかる増幅装置の構成）
図１は、実施の形態１にかかる増幅装置の構成の一例を示す図である。図１に示す増幅装置１００は、入力された信号を増幅して出力する増幅装置である。具体的には、増幅装置１００は、増幅部１１０と、測定部１２０と、算出部１３０と、制御部１４０と、を備えている。
【００１２】
増幅部１１０は、並列に接続された増幅器１１１，１１２（複数の増幅器）を含む。増幅器１１１，１１２のそれぞれは、増幅部１１０へ入力された信号を増幅して出力する。増幅器１１１，１１２から出力された信号は、合成されて増幅部１１０から出力される。
【００１３】
また、増幅部１１０は、出力電圧に対する増幅の効率（瞬時効率）の特性に、極大点（ピーク点）を複数有する（たとえば図６参照）。増幅の効率は、たとえば、入力に対する出力の比であり、一例としてはドレイン効率やＰＡＥ（Ｐｏｗｅｒ  Ａｄｄｅｄ  Ｅｆｆｉｃｉｅｎｃｙ：電力付加効率）などである。増幅部１１０は、たとえばドハティ増幅器である。増幅部１１０は、増幅装置１００へ入力された増幅対象の信号を増幅し、増幅した信号を出力する。
【００１４】
測定部１２０は、増幅部１１０へ入力される信号の瞬時電力の所定期間内の頻度分布１２１を測定する。具体的には、測定部１２０は、増幅部１１０へ入力される信号の瞬時電力を繰り返し検出し、所定期間内における瞬時電力の検出結果を集計することにより瞬時電力の頻度分布１２１を測定する。瞬時電力の頻度分布１２１は、たとえば、瞬時電力の値ごとに、所定期間内に検出された頻度（たとえば回数）を示す情報である。測定部１２０は、測定した頻度分布１２１を算出部１３０へ出力する。
【００１５】
算出部１３０は、測定部１２０から出力された頻度分布１２１における増幅部１１０の増幅の総合効率（ｘ１，…）を、増幅部１１０の所定のパラメータの複数の候補値（ｐ１，…）について算出する（符号１３１）。たとえば、増幅装置１００のメモリには、増幅対象の信号の瞬時電力と、増幅部１１０の所定のパラメータの複数の候補値と、増幅部１１０の所定のパラメータの複数の候補値に対する増幅部１１０の増幅の効率の特性を示す効率特性情報（たとえば図６参照）が記憶されている。算出部１３０は、メモリに記憶された効率特性情報に基づいて、頻度分布１２１における増幅部１１０の増幅の所定期間の効率１３１を所定のパラメータの複数の候補値について算出する。
【００１６】
所定のパラメータは、たとえば増幅部１１０の出力電圧に対する瞬時効率の特性における中間効率ピーク点である。中間効率ピーク点は、出力電圧に対する瞬時効率の特性の複数の極大点に対応する複数の出力電圧のうちの最大ではない電圧である（たとえば図６参照）。
【００１７】
たとえば、増幅部１１０の増幅の効率は、出力電圧が電圧Ｖ１，Ｖ２（Ｖ１＜Ｖ２）のときに極大になるとすると、所定のパラメータは、電圧Ｖ１，Ｖ２のうちの最大ではない電圧Ｖ１である。増幅の効率が極大点となる電圧Ｖ１の値は、たとえば増幅器１１１，１１２の少なくとも一方に供給される電圧によって制御することができる。
【００１８】
所定のパラメータが中間効率ピーク点である場合は、算出部１３０は、中間効率ピーク点の複数の候補値について、測定部１２０から出力された頻度分布１２１を前提とした場合の増幅部１１０の増幅の総合効率を算出する。算出部１３０は、複数の候補値について算出した総合効率を、複数の候補値と対応付けて制御部１４０へ出力する。
【００１９】
制御部１４０は、所定のパラメータの複数の候補値について算出部１３０から出力された総合効率に基づいて、増幅部１１０の所定のパラメータを制御する。たとえば、制御部１４０は、所定のパラメータの複数の候補値の中から、算出部１３０から出力された総合効率が所定の条件を満たす候補値を選択する。たとえば、制御部１４０は、総合効率が最も高くなる候補値を選択する。または、制御部１４０は、総合効率が所定の目標値に最も近くなる候補値を選択してもよい。
【００２０】
また、制御部１４０は、増幅部１１０の所定のパラメータが選択した候補値となるように制御を行う。たとえば、所定のパラメータが中間効率ピーク点である場合は、中間効率ピーク点の候補値ごとに算出された総合効率が算出部１３０から制御部１４０へ出力される。これに対して、制御部１４０は、中間効率ピーク点の複数の候補値の中から、算出部１３０から出力された総合効率が最も高い候補値を選択する。そして、制御部１４０は、増幅部１１０の中間効率ピーク点が選択した候補値となるように、増幅器１１１，１１２の少なくとも一方に供給される電圧を調整する。
【００２１】
図１に示した増幅装置１００によれば、増幅対象の信号の瞬時電力の所定期間内の頻度分布１２１における増幅の総合効率が大きくなるように、増幅部１１０の所定のパラメータを制御することができる。これにより、増幅部１１０における増幅の効率を精度よく制御することができる。
【００２２】
なお、測定部１２０が瞬時電力の頻度分布を測定する場合について説明したが、測定部１２０は、増幅部１１０へ入力される信号の瞬時電圧の所定期間内の頻度分布を測定してもよい。具体的には、測定部１２０は、増幅部１１０へ入力される信号の瞬時電圧を繰り返し検出し、所定期間内における瞬時電圧の検出結果を集計することにより瞬時電圧の頻度分布を測定する。瞬時電圧の頻度分布は、たとえば、瞬時電圧の値ごとに、所定期間内に検出された頻度（たとえば回数）を示す情報である。測定部１２０は、測定した瞬時電圧の頻度分布を制御部１４０へ出力する。
【００２３】
図２は、増幅装置の具体的な構成の一例を示す図である。図２に示す増幅装置２００は、図１に示した増幅装置１００の一例である。増幅装置２００は、ドハティ増幅器２１０と、出力負荷２２０と、電力検出器２３１と、メモリ２３２と、効率算出回路２３３と、メモリ２３４と、ピーク点選択回路２３５と、電圧値変換回路２３６と、電圧設定回路２３７と、を備えている。
【００２４】
図１に示した増幅部１１０は、たとえばドハティ増幅器２１０によって実現することができる。図１に示した測定部１２０は、たとえば電力検出器２３１、メモリ２３２および効率算出回路２３３によって実現することができる。図１に示した算出部１３０は、たとえば、効率算出回路２３３およびメモリ２３４によって実現することができる。図１に示した制御部１４０は、たとえばピーク点選択回路２３５、電圧値変換回路２３６および電圧設定回路２３７によって実現することができる。
【００２５】
また、効率算出回路２３３、ピーク点選択回路２３５および電圧値変換回路２３６は、たとえばＦＰＧＡ（Ｆｉｅｌｄ  Ｐｒｏｇｒａｍｍａｂｌｅ  Ｇａｔｅ  Ａｒｒａｙ）やＣＰＵ（Ｃｅｎｔｒａｌ  Ｐｒｏｃｅｓｓｉｎｇ  Ｕｎｉｔ：中央処理装置）などのデジタル回路によって実現することができる。増幅装置２００による増幅対象の信号は、たとえば変調済みのＲＦ（Ｒａｄｉｏ  Ｆｒｅｑｕｅｎｃｙ：高周波）信号であり、ドハティ増幅器２１０および電力検出器２３１へ入力される。
【００２６】
ドハティ増幅器２１０は、キャリア増幅器２１１と、１／４波長線路２１２，２１３と、ピーク増幅器２１４と、を備えている。キャリア増幅器２１１およびピーク増幅器２１４のそれぞれは、たとえば、ＦＥＴ（Ｆｉｅｌｄ  Ｅｆｆｅｃｔ  Ｔｒａｎｓｉｓｔｏｒ：電界効果トランジスタ）やＢＰＴ（Ｂｉｐｏｌａｒ  Ｔｒａｎｓｉｓｔｏｒ：バイポーラトランジスタ）などの半導体増幅器である。
【００２７】
キャリア増幅器２１１およびピーク増幅器２１４がＦＥＴである場合は、キャリア増幅器２１１およびピーク増幅器２１４のドレイン電圧が電圧設定回路２３７から供給される。キャリア増幅器２１１およびピーク増幅器２１４がＢＰＴである場合は、キャリア増幅器２１１およびピーク増幅器２１４のコレクタ電圧が電圧設定回路２３７から供給される。以下、主に、キャリア増幅器２１１およびピーク増幅器２１４がＦＥＴである場合について説明する。
【００２８】
ドハティ増幅器２１０へ入力された信号は、キャリア増幅器２１１および１／４波長線路２１３へ入力される。キャリア増幅器２１１（第一増幅器）は、入力された信号を、電圧設定回路２３７から供給されるドレイン電圧を用いて増幅する。そして、キャリア増幅器２１１は、増幅した信号を１／４波長線路２１２へ出力する。
【００２９】
１／４波長線路２１２，２１３（第一伝送線路および第二伝送線路）のそれぞれは、増幅装置２００による増幅対象の信号の中心波長の１／４の長さの伝送線路である。１／４波長線路２１２は、キャリア増幅器２１１の後段に直列に接続されている。波長線路２１２は、キャリア増幅器２１１から出力された信号を通過させて出力する。１／４波長線路２１３は、ピーク増幅器２１４の前段に直列に接続されている。波長線路２１３は、入力された信号を通過させてピーク増幅器２１４へ出力する。
【００３０】
ピーク増幅器２１４（第二増幅器）は、１／４波長線路２１３から出力された信号を、電圧設定回路２３７から供給されるドレイン電圧を用いて増幅する。そして、ピーク増幅器２１４は、増幅した信号を出力する。ここで、１／４波長線路２１２から出力された信号の電流をｉ＿ｃａとする。また、ピーク増幅器２１４から出力された信号の電流をｉ＿ｐａとする。１／４波長線路２１２およびピーク増幅器２１４から出力された各信号は、合成されて出力負荷２２０へ出力される。
【００３１】
電力検出器２３１は、入力された信号の瞬時電力を繰り返し検出する。電力検出器２３１は、検出した瞬時電力を、検出した時間と対応付けた瞬時電力系列をメモリ２３２へ書き込む（たとえば図３参照）。
【００３２】
効率算出回路２３３は、たとえば、所定の間隔（たとえば図４参照）によって、メモリ２３２に記憶された瞬時電力系列を読み出す。つぎに、効率算出回路２３３は、読み出した瞬時電力系列に基づく瞬時電力分布を算出する。瞬時電力分布は、たとえば図１に示した頻度分布１２１に対応する情報である。
【００３３】
効率算出回路２３３は、算出した瞬時電力分布に基づいて、ドハティ増幅器２１０の中間効率ピーク点の複数の候補値についてドハティ増幅器２１０の総合効率を算出する。たとえば、瞬時電力分布に基づく、ドハティ増幅器２１０の出力電圧がｖとなる頻度をｆ（ｖ）とする（たとえば図５参照）。
【００３４】
また、ドハティ増幅器２１０の中間効率ピーク点をαとした場合の出力電圧ｖに対する増幅の瞬時効率（たとえば図６参照）をηｄ（ｖ，α）とする。ηｄ（ｖ，α）は、上述した効率特性情報に対応する情報であり、たとえば増幅装置２００のメモリに記憶されている。瞬時電力分布における、中間効率ピーク点をαとした場合のドハティ増幅器２１０の増幅の総合効率ηｔ（α）は、たとえば下記（１）式によって示すことができる。
【００３５】
【数１】
0005810989.tif 000002
【００３６】
上記（１）式の右辺の分母は、たとえばドハティ増幅器２１０の入力電力を示している。上記（１）式の右辺の分子は、たとえばドハティ増幅器２１０の出力電力を示している。効率算出回路２３３は、中間効率ピーク点αの複数の候補値について上記（１）式による総合効率ηｔ（α）を算出する。そして、効率算出回路２３３は、算出した総合効率ηｔ（α）と中間効率ピーク点αの候補値とを対応付けた対応情報をメモリ２３４へ書き込む（たとえば図７参照）。
【００３７】
また、効率算出回路２３３は、ドハティ増幅器２１０の総合効率ηｔ（α）を算出した後に、メモリ２３２に記憶された瞬時電力系列のうちの、以後の総合効率ηｔ（α）の算出に使用しない瞬時電力系列を削除するようにしてもよい。
【００３８】
ピーク点選択回路２３５は、メモリ２３４を検索し、最も高い総合効率ηｔ（α）に対応付けられた中間効率ピーク点αを選択する。そして、ピーク点選択回路２３５は、選択した中間効率ピーク点αを電圧値変換回路２３６へ出力する。
【００３９】
電圧値変換回路２３６は、ピーク点選択回路２３５から出力された中間効率ピーク点αを、キャリア増幅器２１１の電圧値に変換する。そして、電圧値変換回路２３６は、変換した電圧値を電圧設定回路２３７へ出力する。具体的には、電圧値変換回路２３６は、ドハティ増幅器２１０の中間効率ピーク点αが、ピーク点選択回路２３５から出力された中間効率ピーク点αとなるキャリア増幅器２１１の電圧値を導出する。
【００４０】
ドハティ増幅器２１０の出力電力が最大である場合の、１／４波長線路２１２から出力されるキャリア増幅器２１１からの信号の電流ｉ＿ｃａと、ピーク増幅器２１４からの信号の電流ｉ＿ｐａと、の合計電流が１となるように規格化した場合について説明する。この場合は、１／４波長線路２１２から出力されるキャリア増幅器２１１からの信号の電流ｉ＿ｃａはαとなり、ピーク増幅器２１４からの信号の電流ｉ＿ｐａは１−αとなる。
【００４１】
ここで、電圧設定回路２３７からピーク増幅器２１４へ供給される電圧をｖ＿ｐａとする。また、電圧設定回路２３７からキャリア増幅器２１１へ供給される電圧をｖ＿ｃａとする。この場合は、たとえばｖ＿ｐａ：ｖ＿ｃａ＝１−α：αとなる。したがって、キャリア増幅器２１１へ供給される電圧ｖ＿ｃａは、たとえば下記（２）式によって示すことができる。
【００４２】
【数２】
0005810989.tif 000003
【００４３】
電圧値変換回路２３６は、たとえば、ピーク点選択回路２３５から出力された中間効率ピーク点αに基づいて、上記（２）式を満たす電圧ｖ＿ｃａ，ｖ＿ｐａを導出する。そして、電圧値変換回路２３６は、導出した電圧ｖ＿ｃａ，ｖ＿ｐａを電圧設定回路２３７へ出力する。
【００４４】
電圧設定回路２３７は、電圧値変換回路２３６から出力された電圧ｖ＿ｃａを、キャリア増幅器２１１への供給電圧（たとえばドレイン電圧）として設定する。また、電圧設定回路２３７は、電圧値変換回路２３６から出力された電圧ｖ＿ｐａを、ピーク増幅器２１４への供給電圧（たとえばドレイン電圧）として設定する。
【００４５】
（瞬時電力系列）
図３は、瞬時電力系列の一例を示す図である。図３に示す瞬時電力系列３００は、図２に示したメモリ２３２に記憶される瞬時電力系列の一例である。瞬時電力系列３００においては、電力検出器２３１によって測定された瞬時電力Ｐ１，Ｐ２，Ｐ３，…，Ｐｎが、それぞれ時刻ｔ１，ｔ２，ｔ３，…，ｔｎと対応付けられている。効率算出回路２３３は、瞬時電力系列３００から所定の測定区間の瞬時電力を読み出す。
【００４６】
たとえば、所定の測定区間が時刻ｔ１〜ｔ３であるとすると、効率算出回路２３３は、時刻ｔ１〜ｔ３に対応する瞬時電力Ｐ１〜Ｐ３をメモリ２３２から読み出す。そして、効率算出回路２３３は、読み出した瞬時電力Ｐ１〜Ｐ３における瞬時電力分布を導出する。たとえば、Ｐ１＝Ｐ２＝ｐ１≠Ｐ３＝ｐ２である場合は、効率算出回路２３３は、瞬時電力ｐ１が２回かつ瞬時電力ｐ２が１回という瞬時電力分布を導出する。
【００４７】
（測定区間）
図４は、測定区間の一例を示す図である。図４において、横軸は時間の推移を示している。信号区間４１１は、増幅対象の信号の方式が送信方式Ａである期間を示している。信号区間４１２は、増幅対象の信号の方式が、送信方式Ａとは異なる送信方式Ｂである期間を示している。すなわち、図４は、増幅対象の信号の方式が送信方式Ａから送信方式Ｂへ切り替わる状況を示している。
【００４８】
測定区間４２１〜４２９は、効率算出回路２３３が瞬時電力系列から瞬時電力を読み出す単位（所定の測定期間）を示している。測定区間４２１〜４２９のそれぞれは、上述した所定期間に対応する期間である。効率算出回路２３３は、測定区間４２１〜４２９のそれぞれについて、瞬時電力分布を導出し、導出した瞬時電力分布における、中間効率ピーク点αごとのドハティ増幅器２１０の総合効率を算出する。
【００４９】
図４に示すように、測定区間４２１〜４２９は、周期的な期間であり、かつ連続する各期間が互いに重複する期間を含む。これにより、各測定区間の時間を長くしつつ、測定の頻度を高くすることができる。各測定区間の時間を長くすることにより、各測定区間においてより多くの瞬時電力を検出し、増幅対象の信号の瞬時電力分布をより正確に測定することができる。
【００５０】
また、測定の頻度を高くすることにより、総合効率の算出およびドハティ増幅器２１０の制御の周期を短くし、たとえば増幅対象の信号の方式の変化に対するドハティ増幅器２１０の制御の応答を早くすることができる。このため、たとえば増幅対象の信号の方式の変化時におけるドハティ増幅器２１０の増幅の効率を精度よく制御することができる。
【００５１】
（瞬時電力分布）
図５は、瞬時電力分布の一例を示す図である。図５においては、ドハティ増幅器２１０によって増幅される信号の瞬時電力分布を、ドハティ増幅器２１０からの出力電圧の分布として示している。図５の横軸は、ドハティ増幅器２１０の出力電圧ｖ［Ｖ］を示している。また、図５の縦軸は出力電圧の発生の頻度を示している。
【００５２】
瞬時電力分布５００は、ドハティ増幅器２１０における各出力電圧の頻度の分布を示している。瞬時電力分布５００が示す、ドハティ増幅器２１０の出力電圧がｖとなる頻度を、上記（１）式のｆ（ｖ）とする。
【００５３】
（ドハティ増幅器の瞬時効率特性）
図６は、ドハティ増幅器の瞬時効率特性の一例を示す図である。図６の横軸はドハティ増幅器２１０の出力電圧ｖ［Ｖ］を示している。ただし、横軸の出力電圧ｖは、最大値を１として規格化されている。瞬時効率特性６００は、ドハティ増幅器２１０の出力電圧ｖに対する増幅の瞬時効率の特性を示している。
【００５４】
瞬時効率特性６００は、出力電圧ｖの最大値である１［Ｖ］と、中間電圧α（０＜α＜１）と、において瞬時効率のピーク点を有する。瞬時効率特性６００が示す、ドハティ増幅器２１０の中間効率ピーク点をαとした場合の出力電圧ｖに対する増幅の瞬時効率を、上記（１）式のηｄ（ｖ，α）とする。
【００５５】
（総合効率の算出結果）
図７は、総合効率の算出結果の一例を示す図である。図７に示す算出結果７００は、図２に示したメモリ２３４に記憶される、中間効率ピーク点αごとの総合効率の算出結果である。図７に示すように、算出結果７００においては、中間効率ピーク点αのｍ個の候補値α１，α２，α３，…，αｍに対してそれぞれ総合効率Ｘ１，Ｘ２，Ｘ３，…，Ｘｍが対応付けられている。
【００５６】
ピーク点選択回路２３５は、候補値α１，α２，α３，…，αｍの中から、総合効率Ｘ１，Ｘ２，Ｘ３，…，Ｘｍのうちの最も高い総合効率に対応付けられた中間効率ピーク点αを選択する。たとえば総合効率Ｘ１，Ｘ２，Ｘ３，…，Ｘｍのうちの総合効率Ｘ３が最も高い場合は、ピーク点選択回路２３５は、総合効率Ｘ３に対応付けられた候補値α３を、中間効率ピーク点αの値として選択する。
【００５７】
（増幅装置を適用した信号処理装置）
図８は、増幅装置を適用した信号処理装置の一例を示す図である。図８において、図２に示した部分と同様の部分については同一の符号を付して説明を省略する。図８に示すように、信号処理装置８００は、ＤＡＣ８１１と、変調器８１２と、ドハティ増幅器２１０と、を備えている。ただし、図８においては、ドハティ増幅器２１０の構成のうちの電力検出器２３１について図示し、他の構成については図示を省略している。
【００５８】
ＤＡＣ８１１（Ｄｉｇｉｔａｌ／Ａｎａｌｏｇ  Ｃｏｎｖｅｒｔｅｒ：デジタル／アナログ変換器）にはベースバンドデジタル信号が入力される。ＤＡＣ８１１は、入力されたベースバンドデジタル信号をベースバンドアナログ信号に変換する。ＤＡＣ８１１は、変換したベースバンドアナログ信号を変調器８１２へ出力する。
【００５９】
変調器８１２は、ＤＡＣ８１１から出力されたベースバンドアナログ信号に基づく高周波の変調を行う。変調器８１２は、変調により得られたＲＦ信号をドハティ増幅器２１０へ出力する。ドハティ増幅器２１０は、変調器８１２から出力されたＲＦ信号を増幅して出力する。たとえば、電力検出器２３１は、変調器８１２から出力されたＲＦ信号の瞬時電力を検出する。
【００６０】
図８に示した信号処理装置８００によれば、入力されたベースバンドデジタル信号をＲＦ信号に変換し、変換したＲＦ信号を増幅して出力することができる。信号処理装置８００は、たとえば、無線送信装置に設けられる。この場合は、信号処理装置８００から出力された信号は、たとえば、無線送信装置のアンテナによって無線送信される。
【００６１】
このように、実施の形態１にかかる増幅装置２００によれば、増幅対象の信号の瞬時電力または瞬時電圧の所定期間内の頻度分布における増幅の総合効率が最大になるようにドハティ増幅器２１０の中間ピーク点を制御することができる。これにより、ドハティ増幅器２１０の増幅の効率を精度よく制御することができる。
【００６２】
（実施の形態２）
実施の形態２について、実施の形態１と異なる部分について説明する。実施の形態２にかかる増幅装置１００（図１参照）において、所定のパラメータは、たとえば増幅器１１１，１１２のうちの少なくとも一方への供給電圧である。
【００６３】
この場合は、算出部１３０は、供給電圧の複数の候補値について、測定部１２０から出力された頻度分布１２１における増幅部１１０の増幅の総合効率を算出する。制御部１４０は、複数の候補値について算出部１３０から出力された総合効率に基づいて、増幅器１１１，１１２のうちの少なくとも一方への供給電圧を制御する。
【００６４】
（実施の形態２にかかる増幅装置の構成）
図９は、実施の形態２にかかる増幅装置の構成の一例を示す図である。図９において、図２に示した部分と同様の部分については同一の符号を付して説明を省略する。図９に示すように、実施の形態２にかかる増幅装置２００は、図２に示したピーク点選択回路２３５および電圧値変換回路２３６に代えて、メモリ９０１と、電圧選択回路９０２と、を備えている。
【００６５】
メモリ９０１には、キャリア増幅器２１１およびピーク増幅器２１４へ供給される電圧ｖ＿ｃａ，ｖ＿ｐａの組み合わせと、ドハティ増幅器２１０の増幅の瞬時効率と、の対応情報が、瞬時電力ごとに記憶されている（たとえば図１０参照）。
【００６６】
効率算出回路２３３は、算出した瞬時電力分布における、キャリア増幅器２１１およびピーク増幅器２１４へ供給される電圧ｖ＿ｃａ，ｖ＿ｐａの複数の組み合わせごとのドハティ増幅器２１０の増幅の総合効率を算出する。具体的には、ドハティ増幅器２１０の増幅の総合効率は、瞬時電力、キャリア増幅器２１１およびピーク増幅器２１４へ供給される各直流電圧および各直流電流から求めることができる。
【００６７】
たとえば、図５の瞬時電力分布５００によって示した、ドハティ増幅器２１０の出力電圧ｖに対する発生頻度の関数ｆ（ｖ）を、電力ｐに対する発生頻度の関数ｆ（ｐ）に換算する。また、図６の瞬時効率特性６００に示した、出力電圧ｖに対する瞬時効率ηｄ（ｖ，α）を、電力ｐ、キャリア増幅器２１１およびピーク増幅器２１４へ供給される電圧ｖ＿ｃａ，ｖ＿ｐａに対する総合効率ηｄ（ｐ，ｖ＿ｃａ，ｖ＿ｐａ）に変換する。
【００６８】
ηｄ（ｐ，ｖ＿ｃａ，ｖ＿ｐａ）は、上述した効率特性情報に対応する情報であり、たとえば増幅装置２００のメモリに記憶されている（たとえば図１０参照）。電圧ｖ＿ｃａ，ｖ＿ｐａに対するドハティ増幅器２１０の増幅の総合効率ηｔ（ｖ＿ｃａ，ｖ＿ｐａ）は、たとえば下記（３）式によって示すことができる。
【００６９】
【数３】
0005810989.tif 000004
【００７０】
上記（３）式の右辺の分母は、たとえばドハティ増幅器２１０の入力電力を示している。上記（３）式の右辺の分子は、たとえばドハティ増幅器２１０の出力電力を示している。効率算出回路２３３は、電圧ｖ＿ｃａ，ｖ＿ｐａの複数の組み合わせについて上記（３）式による総合効率ηｔ（ｖ＿ｃａ，ｖ＿ｐａ）を算出する。そして、効率算出回路２３３は、算出した総合効率ηｔ（ｖ＿ｃａ，ｖ＿ｐａ）と電圧ｖ＿ｃａ，ｖ＿ｐａの組み合わせと対応付けた対応情報とをメモリ２３４へ書き込む（たとえば図１１参照）。
【００７１】
また、効率算出回路２３３は、ドハティ増幅器２１０の総合効率ηｔ（ｖ＿ｃａ，ｖ＿ｐａ）を算出した後に、メモリ２３２に記憶された瞬時電力系列のうちの、以後の総合効率ηｔ（ｖ＿ｃａ，ｖ＿ｐａ）の算出に使用しない瞬時電力系列を削除してもよい。
【００７２】
（ドハティ増幅器の瞬時電力ごとの瞬時効率特性）
図１０は、ドハティ増幅器の瞬時電力ごとの瞬時効率特性の一例を示す図である。図１０に示す対応情報１０００は、図９に示したメモリ９０１に記憶された対応情報である。対応情報１０００には、キャリア増幅器２１１およびピーク増幅器２１４へ供給される電圧ｖ＿ｃａ，ｖ＿ｐａの各組み合わせに瞬時効率η（ｖ＿ｃａ，ｖ＿ｐａ）が対応付けられた対応情報が、瞬時電力Ｐ１，Ｐ２，…のそれぞれについて格納されている。
【００７３】
また、対応情報１０００においては、キャリア増幅器２１１へ供給される電圧ｖ＿ｃａ，ｖ＿ｐａの各組み合わせに対して、キャリア増幅器２１１へ供給される電流Ｉ＿ｃａ，Ｉ＿ｐａも対応付けられている。
【００７４】
（総合効率の算出結果）
図１１は、総合効率の算出結果の一例を示す図である。図１１に示す算出結果１１００は、図９に示したメモリ２３４に記憶される、キャリア増幅器２１１およびピーク増幅器２１４へ供給される電圧ｖ＿ｃａ，ｖ＿ｐａの組み合わせごとの総合効率の算出結果である。算出結果１１００においては、キャリア増幅器２１１の電圧ｖ＿ｃａとピーク増幅器２１４の電圧ｖ＿ｐａの各組み合わせに対して、それぞれ総合効率Ｘ１，Ｘ２，Ｘ３，…，Ｘｍが対応付けられている。
【００７５】
電圧選択回路９０２は、キャリア増幅器２１１の電圧ｖ＿ｃａとピーク増幅器２１４の電圧ｖ＿ｐａの各組み合わせの中から、総合効率Ｘ１，Ｘ２，Ｘ３，…，Ｘｍのうちの最も高い総合効率に対応付けられた組み合わせを選択する。たとえば総合効率Ｘ１，Ｘ２，Ｘ３，…，Ｘｍのうちの総合効率Ｘ３が最も高い場合は、ピーク点選択回路２３５は、総合効率Ｘ３に対応付けられた電圧ｖ＿３ｃａ，ｖ＿３ｐａを電圧ｖ＿ｃａ，ｖ＿ｐａとして選択する。
【００７６】
（実施の形態２にかかる増幅装置の変形例）
図１２は、実施の形態２にかかる増幅装置の変形例を示す図である。図１２において、図２または図９に示した部分と同様の部分については同一の符号を付して説明を省略する。図１２に示すように、増幅装置２００は、図９に示した構成に加えて、図２に示したピーク点選択回路２３５および電圧値変換回路２３６を備えていてもよい。
【００７７】
図１２に示す増幅装置２００は、図２に示した増幅装置２００と、図９に示した増幅装置２００と、を組み合わせた構成である。図１２に示す増幅装置２００においては、制御対象のドハティ増幅器２１０の所定のパラメータは、中間効率ピーク点αと、キャリア増幅器２１１およびピーク増幅器２１４へ供給する電圧ｖ＿ｃａ，ｖ＿ｐａと、を含む。
【００７８】
効率算出回路２３３は、中間効率ピーク点αごとの総合効率の算出結果と、キャリア増幅器２１１およびピーク増幅器２１４の各電圧の組み合わせごとの総合効率の算出結果と、の両方をメモリ２３４へ書き込む。
【００７９】
ピーク点選択回路２３５は、メモリ２３４に記憶された中間効率ピーク点αごとの総合効率の算出結果に基づいて、最も高い総合効率に対応付けられた中間効率ピーク点αを選択して電圧値変換回路２３６へ出力する。さらに、ピーク点選択回路２３５は、選択した中間効率ピーク点αに対応する総合効率を電圧設定回路２３７へ通知してもよい。
【００８０】
電圧選択回路９０２は、メモリ２３４に記憶された、キャリア増幅器２１１およびピーク増幅器２１４の各電圧の組み合わせごとの総合効率に基づいて、最も高い総合効率に対応付けられた組み合わせを選択して電圧設定回路２３７へ出力する。さらに、電圧選択回路９０２は、選択した組み合わせに対応する総合効率を電圧設定回路２３７へ通知してもよい。
【００８１】
電圧設定回路２３７は、電圧値変換回路２３６および電圧選択回路９０２のうちのいずれかから出力された各電圧の組み合わせをキャリア増幅器２１１およびピーク増幅器２１４に設定する。たとえば、電圧設定回路２３７は、電圧値変換回路２３６および電圧選択回路９０２のうち、より高い効率を通知した方から出力された各電圧の組み合わせをキャリア増幅器２１１およびピーク増幅器２１４に設定する。
【００８２】
このように、実施の形態２にかかる増幅装置１００，２００によれば、増幅対象の信号の瞬時電力または瞬時電圧の所定期間内の頻度分布における増幅の総合効率が最大になるようにドハティ増幅器２１０への供給電圧を制御することができる。これにより、ドハティ増幅器２１０の増幅の効率を精度よく制御することができる。
【００８３】
（実施の形態３）
（実施の形態３にかかる増幅装置の構成）
図１３は、実施の形態３にかかる増幅装置の構成の一例を示す図である。図１３において、図２に示した部分と同様の部分については同一の符号を付して説明を省略する。図１３に示すように、実施の形態３にかかる増幅装置２００は、ドハティ増幅器２１０と、出力負荷２２０と、メモリ１３０１と、電圧設定回路１３０２と、を備えている。
【００８４】
メモリ１３０１には、瞬時電力分布番号と、キャリア増幅器２１１およびピーク増幅器２１４へ供給される電圧ｖ＿ｃａ，ｖ＿ｐａの組み合わせと、が対応付けられた対応情報が記憶されている。瞬時電力分布番号は、増幅装置２００へ入力される信号の変調方式、多重方式、送信パラメータなどに応じて異なる番号である（たとえば図１４参照）。
【００８５】
電圧設定回路１３０２には、たとえば増幅装置２００を備える通信装置の上位プロトコルから、瞬時電力分布番号が入力される。電圧設定回路１３０２は、メモリ１３０１から、入力された瞬時電力分布番号に対応する、キャリア増幅器２１１およびピーク増幅器２１４へ供給される電圧ｖ＿ｃａ，ｖ＿ｐａの組み合わせを読み出す。そして、電圧設定回路１３０２は、読み出した電圧ｖ＿ｃａをキャリア増幅器２１１への供給電圧として設定する。また、電圧設定回路２３７は、読み出した電圧ｖ＿ｐａをピーク増幅器２１４への供給電圧として設定する。
【００８６】
（信号の特徴と瞬時電力分布番号との関係）
図１４は、信号の特徴と瞬時電力分布番号との関係の一例を示す図である。図１４に示す関係情報１４００は、図１３に示したメモリ１３０１に記憶された、増幅対象の信号の各方式や送信信号情報と瞬時電力分布番号との関係の一例を示している。関係情報１４００に示すように、関係情報１４００においては、増幅対象の信号の多重方式、変調方式、送信信号情報、測定区間の組み合わせごとに、瞬時電力分布番号が対応付けられている。
【００８７】
（瞬時電力分布番号と各電圧の組み合わせとの対応情報）
図１５は、瞬時電力分布番号と各電圧の組み合わせとの対応情報の一例を示す図である。図１５に示す対応情報１５００は、図１３に示したメモリ１３０１に記憶される、瞬時電力分布番号と、キャリア増幅器２１１およびピーク増幅器２１４へ供給される電圧ｖ＿ｃａ，ｖ＿ｐａの組み合わせと、が対応付けられた対応情報の一例である。
【００８８】
たとえば、設計者は、増幅対象の信号の多重方式、変調方式、送信信号情報、測定区間の組み合わせを変化させながら、増幅対象の信号における瞬時電力分布を導出する。そして、設計者は、導出した瞬時電力分布においてドハティ増幅器２１０の総合効率が最大となる、キャリア増幅器２１１およびピーク増幅器２１４へ供給される電圧ｖ＿ｃａ，ｖ＿ｐａの組み合わせを算出する。
【００８９】
つぎに、設計者は、算出した組み合わせと瞬時電力分布番号とを対応付け、対応情報１５００として電圧設定回路１３０２に記憶しておく。このとき、同一または類似の瞬時電力分布についての電圧ｖ＿ｃａ，ｖ＿ｐａの組み合わせには、同一の瞬時電力分布番号が対応付けられる。これにより、瞬時電力分布番号を、瞬時電力分布に応じて異なる情報にすることができる。
【００９０】
このように、実施の形態３にかかる増幅装置２００においては、信号の瞬時電力分布を示す瞬時電力分布番号と、ドハティ増幅器２１０の総合効率が最大となる電圧ｖ＿ｃａ，ｖ＿ｐａの組み合わせと、の対応情報１５００を記憶しておく。そして、入力される信号の瞬時電力分布を示す瞬時電力分布番号を取得し、取得した瞬時電力分布番号に対応する電圧ｖ＿ｃａ，ｖ＿ｐａを選択し、選択した電圧ｖ＿ｃａ，ｖ＿ｐａをドハティ増幅器２１０に設定する。これにより、入力される信号の瞬時電力分布を測定しなくても、増幅の総合効率が最大になるようにドハティ増幅器２１０の供給電圧を制御することができる。これにより、ドハティ増幅器２１０の増幅の効率を精度よく制御することができる。
【００９１】
（各実施の形態の変形例）
以下、上述した各実施の形態の変形例について説明する。
【００９２】
（信号処理装置の変形例）
図１６−１は、信号処理装置の変形例１を示す図である。図１６−１において、図８に示した部分と同様の部分については同一の符号を付して説明を省略する。図１６−１に示すように、電力検出器２３１は、ＤＡＣ８１１から変調器８１２へ出力されるベースバンドアナログ信号に基づく電力を検出してもよい。
【００９３】
図１６−２は、信号処理装置の変形例２を示す図である。図１６−２において、図８に示した部分と同様の部分については同一の符号を付して説明を省略する。図１６−２に示すように、電力検出器２３１は、ＤＡＣ８１１へ入力されるベースバンドデジタル信号に基づく電力を検出してもよい。
【００９４】
図１６−３は、信号処理装置の変形例３を示す図である。図１６−３において、図８に示した部分と同様の部分については同一の符号を付して説明を省略する。図１６−３に示すように、信号処理装置８００は、図８に示した構成に加えてＩＦ変換器１６３１を備えていてもよい。ＩＦ変換器１６３１は、信号処理装置８００へ入力されたベースバンドデジタル信号をＩＦ（Ｉｎｔｅｒｍｅｄｉａｔｅ  Ｆｒｅｑｕｅｎｃｙ：中間周波数）帯域のＩＦデジタル信号に変換する。ＩＦ変換器１６３１は、変換したＩＦデジタル信号をＤＡＣ８１１へ出力する。
【００９５】
ＤＡＣ８１１は、ＩＦ変換器１６３１から出力されたＩＦデジタル信号をＩＦアナログ信号に変換する。ＤＡＣ８１１は、変換したＩＦアナログ信号を変調器８１２へ出力する。変調器８１２は、ＤＡＣ８１１から出力されたＩＦアナログ信号に基づく高周波の変調を行う。電力検出器２３１は、たとえば、ＤＡＣ８１１から変調器８１２へ出力されるＩＦアナログ信号に基づく電力を検出する。
【００９６】
図１６−４は、信号処理装置の変形例４を示す図である。図１６−４において、図１６−３に示した部分と同様の部分については同一の符号を付して説明を省略する。図１６−４に示すように、電力検出器２３１は、ＩＦ変換器１６３１からＤＡＣ８１１へ出力されるＩＦデジタル信号に基づく電力を検出してもよい。
【００９７】
図１６−１〜図１６−４に示した各変形例は、たとえば、上述した各実施の形態に適用することができる。図１６−１〜図１６−４に示したように、ベースバンドアナログ信号、ベースバンドデジタル信号、ＩＦアナログ信号またはＩＦデジタル信号から瞬時電力系列を取得してもよい。
【００９８】
（測定区間の変形例）
図１７−１は、測定区間の変形例１を示す図である。図１７−１において、図４に示した部分と同様の部分については同一の符号を付して説明を省略する。図１７−１に示すように、測定区間４２１〜４２９は、互いに重ならずに連続する各測定区間であってもよい。これにより、たとえば図４に示した測定区間によるドハティ増幅器２１０の制御よりも処理量を低減することができる。
【００９９】
図１７−２は、測定区間の変形例２を示す図である。図１７−２において、図４に示した部分と同様の部分については同一の符号を付して説明を省略する。図１７−２に示すように、測定区間４２１〜４２９は、周期的な測定区間であり、かつ互いに間隔を有する各測定区間であってもよい。このように、瞬時電力分布の測定を断続的に行うことにより、たとえば図１７−１に示した測定区間によるドハティ増幅器２１０の制御よりも処理量を低減することができる。
【０１００】
図１７−３は、測定区間の変形例３を示す図である。図１７−３において、図４に示した部分と同様の部分については同一の符号を付して説明を省略する。図１７−３に示すように、測定区間４２１〜４２９は、周期的な測定区間であり、かつ連続する区間が時間的に重なりを有する各測定区間である。さらに、測定区間４２１〜４２９（第一期間）とは別に、測定区間４２１〜４２９と時間的に重なる測定区間４３１〜４３５（第二期間）が設定されてもよい。
【０１０１】
測定区間４３１〜４３５は、それぞれ測定区間４２１〜４２９よりも短い測定区間である。また、測定区間４３１〜４３５の各周期は、測定区間４２１〜４２９の各周期よりも短い。増幅装置２００は、測定区間４２１〜４２９の瞬時電力分布に基づくドハティ増幅器２１０の制御と、測定区間４３１〜４３５の瞬時電力分布に基づくドハティ増幅器２１０の制御と、を切り替えて行う。
【０１０２】
たとえば、増幅装置２００は、まず測定区間４２１の瞬時電力分布に基づいてドハティ増幅器２１０のパラメータを設定する。これにより、たとえば測定区間４２１より短い測定区間４３１の瞬時電力分布に基づいてパラメータを設定するよりも、より正確な瞬時電力分布に基づいてパラメータを設定することができる。このため、ドハティ増幅器２１０の増幅の効率を精度よく制御することができる。
【０１０３】
また、増幅装置２００は、測定区間４２１〜４２９だけでなく、より短い周期の測定区間４３１〜４３５においても瞬時電力分布を測定している。このため、送信方式が送信方式Ｂへ切り替わるときは、測定区間４３１〜４３５の瞬時電力分布に基づいて信号の方式等の変化を迅速に検出することができる。たとえば測定区間４３４の瞬時電力分布に基づいて信号の方式を検出した場合は、増幅装置２００は、測定区間４３４の瞬時電力分布に基づいてドハティ増幅器２１０のパラメータを設定する。
【０１０４】
これにより、たとえば測定区間４３４より長い測定区間４２７に基づいてドハティ増幅器２１０のパラメータを設定する場合に比べて、信号の方式等の変化前の瞬時電力による影響を小さくすることができる。このため、ドハティ増幅器２１０の増幅の効率を、信号の方式等の変化後の特徴に応じて精度よく制御することができる。
【０１０５】
また、測定区間４３４の瞬時電力分布に基づいてドハティ増幅器２１０のパラメータを設定した後は、増幅装置２００は、測定区間４２１〜４２９のうちの測定区間４３４より後の測定区間４２８の瞬時電力分布に基づいてパラメータを設定する。これにより、信号の方式等の変化前の瞬時電力による影響を排除することができる。また、たとえば測定区間４２８より短い測定区間４３５の瞬時電力分布に基づいてドハティ増幅器２１０のパラメータを設定するよりも、より正確な瞬時電力分布に基づいてドハティ増幅器２１０のパラメータを設定することができる。このため、ドハティ増幅器２１０の増幅の効率を精度よく制御することができる。
【０１０６】
このように、効率算出回路２３３は、測定区間４２１〜４２９の瞬時電力分布に基づくドハティ増幅器２１０の総合効率（第一効率）と、測定区間４３１〜４３５の瞬時電力分布に基づくドハティ増幅器２１０の総合効率（第二効率）と、のそれぞれを算出する。そして、効率算出回路２３３は、算出した第一効率によってパラメータを制御する第一制御と、算出した第二効率によってパラメータを制御する第二制御と、を切り替えて行う。
【０１０７】
なお、測定区間４２１〜４２９および測定区間４３１〜４３５のそれぞれが、連続する各区間が時間的に重なりを有する各測定区間である場合について説明したが、連続する各区間が時間的に重なりを有する場合に限らない。たとえば、測定区間４２１〜４２９および測定区間４３１〜４３５の少なくとも一方は、連続する各区間が互いに重複も間隔も有していなかったり（たとえば図１７−１参照）、連続する各区間が間隔を有していたり（たとえば図１７−２参照）してもよい。
【０１０８】
図１８は、図１７−３に示した測定区間による制御のための動作の一例を示すフローチャートである。図１８において、測定区間Ａは、図１７−３に示した測定区間４２１〜４２９（比較的長い測定区間）を示している。また、図１８において、測定区間Ｂは、図１７−３に示した測定区間４３１〜４３５（比較的短い測定区間）を示している。測定区間Ａ設定フラグおよび測定区間Ｂ設定フラグは、増幅装置２００のメモリに記憶され、たとえば効率算出回路２３３によってアクセス可能な情報である。
【０１０９】
ここでは、図２に示した増幅装置２００の効率算出回路２３３による動作の一例について説明する。まず、効率算出回路２３３は、測定区間Ａ（たとえば測定区間４２１）の瞬時電力分布の測定を開始する（ステップＳ１８０１）。また、効率算出回路２３３は、測定区間Ｂ（たとえば測定区間４３１）の瞬時電力分布の測定を開始する（ステップＳ１８０２）。つぎに、効率算出回路２３３は、測定区間Ｂ（たとえば測定区間４３１）の瞬時電力分布の測定を終了したか否かを判断する（ステップＳ１８０３）。
【０１１０】
ステップＳ１８０３において、測定区間Ｂの測定を終了した場合（ステップＳ１８０３：Ｙｅｓ）は、効率算出回路２３３は、終了した測定区間Ｂの瞬時電力分布の測定結果に基づく中間効率ピーク点αごとの総合効率を算出する。そして、ピーク点選択回路２３５が、効率算出回路２３３によって算出された総合効率が最も高い中間効率ピーク点αが、前回の算出結果から変化したか否かを判断する（ステップＳ１８０４）。これにより、信号の方式等の変化による、信号の瞬時電力分布の変化を検出することができる。なお、前回の算出結果は、メモリ２３４から取得することができる。
【０１１１】
ステップＳ１８０４において、総合効率が最も高い中間効率ピーク点αが変化していない場合（ステップＳ１８０４：Ｎｏ）は、信号の瞬時電力分布が変化していないと判断することができる。このため、効率算出回路２３３は、ステップＳ１８０２へ戻る。
【０１１２】
ステップＳ１８０４において、総合効率が最も高い中間効率ピーク点αが変化した場合（ステップＳ１８０４：Ｙｅｓ）は、信号の瞬時電力分布が変化したと判断することができる。このため、効率算出回路２３３は、ステップＳ１８０３において終了した測定区間Ｂの瞬時電力分布の測定結果に基づいて算出した中間効率ピーク点αごとの総合効率をメモリ２３４に書き込む。
【０１１３】
これにより、ピーク点選択回路２３５によって中間効率ピーク点αが選択され、電圧設定回路２３７によってキャリア増幅器２１１およびピーク増幅器２１４の各電圧が設定される（ステップＳ１８０５）。つぎに、ピーク点選択回路２３５が、測定区間Ｂ設定フラグをＯＮに設定し（ステップＳ１８０６）、ステップＳ１８０２へ戻る。
【０１１４】
ステップＳ１８０３において、測定区間Ｂの測定を終了していない場合（ステップＳ１８０３：Ｎｏ）は、効率算出回路２３３は、測定区間Ａの測定を終了したか否かを判断する（ステップＳ１８０７）。測定区間Ａの測定を終了していない場合（ステップＳ１８０７：Ｎｏ）は、効率算出回路２３３はステップＳ１８０３へ戻る。
【０１１５】
ステップＳ１８０７において、測定区間Ａの測定を終了した場合（ステップＳ１８０７：Ｙｅｓ）は、効率算出回路２３３は、測定区間Ｂ設定フラグがＯＮに設定されているか否かを判断する（ステップＳ１８０８）。測定区間Ｂ設定フラグがＯＮに設定されていない場合（ステップＳ１８０８：Ｎｏ）は、測定区間Ｂの瞬時電力分布の測定結果に基づいて瞬時電力分布の変化が検出されていないと判断することができ、測定区間Ａは、瞬時電力分布の変化前、あるいは、瞬時電力分布の変化後の期間であると判断することができる。この場合は、効率算出回路２３３は、ステップＳ１８０７において終了した測定区間Ａの瞬時電力分布の測定結果に基づいて算出した中間効率ピーク点αごとの総合効率をメモリ２３４に書き込む。
【０１１６】
これにより、ピーク点選択回路２３５によって中間効率ピーク点αが選択され、電圧設定回路２３７によってキャリア増幅器２１１およびピーク増幅器２１４の各電圧が設定される（ステップＳ１８１２）。これにより、測定区間Ｂより長い測定区間Ａの瞬時電力分布に基づく各電圧の制御を行うことができる。
【０１１７】
ステップＳ１８０８において、測定区間Ｂ設定フラグがＯＮに設定されている場合（ステップＳ１８０８：Ｙｅｓ）は、測定区間Ｂの瞬時電力分布の測定結果に基づいて瞬時電力分布の変化が検出されたと判断することができる。この場合は、効率算出回路２３３は、測定区間Ａ設定フラグがＯＮに設定されているか否かを判断する（ステップＳ１８０９）。
【０１１８】
ステップＳ１８０９において、測定区間Ａ設定フラグがＯＮに設定されていない場合（ステップＳ１８０９：Ｎｏ）は、瞬時電力分布の変化が検出されたが、ステップＳ１８０７において測定が終了した測定区間Ａに、瞬時電力分布の変化前の期間が含まれていると判断することができる。測定区間Ａの瞬時電力分布に基づく総合効率は正しいものではないため、効率算出回路２３３は、測定区間Ａの総合効率の算出結果を破棄する（ステップＳ１８１０）。つぎに、効率算出回路２３３は、測定区間Ａ設定フラグをＯＮに設定し（ステップＳ１８１１）、ステップＳ１８１４へ移行する。
【０１１９】
ステップＳ１８０９において、測定区間Ａ設定フラグがＯＮに設定されている場合（ステップＳ１８０９：Ｙｅｓ）は、瞬時電力分布の変化が検出されたが、ステップＳ１８０７において測定が終了した測定区間Ａは、瞬時電力分布の変化後の期間であると判断することができる。この場合は、効率算出回路２３３は、ステップＳ１８０７において終了した測定区間Ａの瞬時電力分布の測定結果に基づいて算出した中間効率ピーク点αごとの総合効率をメモリ２３４に書き込む。
【０１２０】
これにより、ピーク点選択回路２３５によって中間効率ピーク点αが選択され、電圧設定回路２３７によってキャリア増幅器２１１およびピーク増幅器２１４の各電圧が設定される（ステップＳ１８１２）。これにより、瞬時電力分布の変化後の、測定区間Ｂより長い測定区間Ａの瞬時電力分布に基づく各電圧の制御を行うことができる。
【０１２１】
つぎに、効率算出回路２３３は、測定区間Ａ設定フラグおよび測定区間Ｂ設定フラグをＯＦＦに設定（クリア）する（ステップＳ１８１３）。つぎに、効率算出回路２３３は、測定区間Ａの測定を開始し（ステップＳ１８１４）、ステップＳ１８０３へ戻る。
【０１２２】
以上の各ステップにより、比較的短い測定区間Ｂを用いて信号の瞬時電力分布の変化を迅速に検出し、信号の瞬時電力分布の変化に対して増幅装置２００への供給電圧を迅速に制御することができる。そして、増幅装置２００は、瞬時電力分布の変化の検出時においては、瞬時電力分布の変化前の期間を含む測定区間Ａに基づく制御は行わず、測定区間Ｂに基づく制御を行う。これにより、瞬時電力分布の変化後の信号の特徴に応じてドハティ増幅器２１０の増幅の効率を精度よく制御することができる。
【０１２３】
なお、測定区間Ｂは測定区間が短いため、増幅対象の信号の方式等が切り替わっていなくても、効率が最も高い中間効率ピーク点が変化することが考えられる。これに対して、たとえば、ステップＳ１８０４において、効率算出回路２３３によって算出された効率が最も高い中間効率ピーク点が所定量以上変化したか否かを判断してもよい。そして、効率が最も高い中間効率ピーク点の変化量が所定量未満である場合は、効率が最も高い中間効率ピーク点が変化していないと判断してもよい。
【０１２４】
また、ここでは、図２に示した増幅装置２００による動作の一例について説明したが、たとえば図９に示した増幅装置２００においても同様の処理によって、図１７−３に示した測定区間による制御を実現することができる。
【０１２５】
図１７−１〜図１７−３および図１８に示した測定区間の各変形例は、たとえば、上述した実施の形態１，２に適用することができる。
【０１２６】
（効率算出回路の動作の変形例）
図１９は、効率算出回路の動作の変形例を示す図である。図１９において、図２に示した部分と同様の部分については同一の符号を付して説明を省略する。図１９に示すように、効率算出回路２３３には、測定開始トリガ信号が入力されてもよい。
【０１２７】
測定開始トリガ信号は、増幅装置２００へ入力される信号の変調方式、多重方式、送信パラメータなどの、信号の瞬時電力分布に影響を与える性質が変化するときに入力される信号である。また、測定開始トリガ信号は、たとえば増幅装置２００を備える通信装置の上位プロトコルから効率算出回路２３３へ入力される。
【０１２８】
効率算出回路２３３は、測定開始トリガ信号が入力されると、瞬時電力分布の測定を新たに開始する。これにより、信号の瞬時電力分布が変化した直後に瞬時電力分布の測定を行い、測定結果をドハティ増幅器２１０の制御に反映させることができる。このため、増幅装置２００へ入力される信号の瞬時電力分布が変化したときに、変化後の瞬時電力分布に応じたドハティ増幅器２１０のパラメータを迅速に行い、ドハティ増幅器２１０の増幅の効率を精度よく制御することができる。
【０１２９】
このように、信号の方式の変化のタイミングを示す測定開始トリガ信号に基づいて、信号の性質が変化した直後の期間の頻度分布を測定することにより、ドハティ増幅器２１０の増幅の効率を精度よく制御することができる。図１９に示した変形例は、たとえば、上述した各実施の形態に適用することができる。
【０１３０】
（ドハティ増幅器の制御の変形例）
図２０−１は、ドハティ増幅器の制御の変形例１を示す図である。図２０−１においては、一例として、増幅装置２００がＯＦＤＭの信号を増幅する場合について説明する。図２０−１の横軸は、増幅装置２００の増幅対象の信号のシンボル（時間）を示している。図２０−１の縦軸は、増幅装置２００の増幅対象の信号の周波数を示している。図２０−１に示すように、増幅装置２００の増幅対象の信号は、プリアンブルのシンボル２０１１、制御情報のシンボル２０１２、データのシンボル２０１３〜２０１７の順に変化する。
【０１３１】
たとえば、プリアンブルのシンボル２０１１の期間内においては、信号の瞬時電力分布の変動は小さい。このため、増幅装置２００は、シンボル２０１１の最初の区間２０２１において測定した瞬時電力分布に基づいて、シンボル２０１１の残りの期間２０３１におけるドハティ増幅器２１０のパラメータの制御を行ってもよい。この場合は、期間２０３１の瞬時電力分布の測定およびドハティ増幅器２１０の総合効率の算出を行わなくてもよいため、処理量を低減することができる。
【０１３２】
同様に、増幅装置２００は、制御情報のシンボル２０１２の最初の区間２０２２において測定した瞬時電力分布に基づいて、シンボル２０１２の残りの期間２０３２におけるドハティ増幅器２１０のパラメータの制御を行ってもよい。また、増幅装置２００は、データのシンボル２０１３の最初の区間２０２３において測定した瞬時電力分布に基づいて、シンボル２０１３の残りの期間２０３３におけるドハティ増幅器２１０のパラメータの制御を行ってもよい。シンボル２０１４〜２０１７についても同様である。
【０１３３】
信号の形式やサブキャリアの数はシンボルごとに変化するため、瞬時電力分布もシンボルごとに変わる可能性が高い。このため、増幅装置２００は、同一のシンボル内におけるドハティ増幅器２１０のパラメータの制御を、シンボルの先頭において測定した瞬時電力分布に基づいて行う。これにより、瞬時電力分布の測定および総合効率の算出の頻度を低くし、処理量を低減することができる。
【０１３４】
図２０−１に示した制御は、たとえば、図１９に示した増幅装置２００において、測定開始トリガ信号をシンボルの開始時に入力するようにすることにより実現できる。効率算出回路２３３は、たとえば、測定開始トリガ信号が入力された直後の区間の瞬時電力分布を測定し、つぎに測定開始トリガ信号が入力されるまでは瞬時電力分布の測定を行わない。これにより、シンボルの開始にのみ瞬時電力分布の測定を行うことができる。
【０１３５】
図２０−２は、ドハティ増幅器の制御の変形例２を示す図である。図２０−２において、図２０−１に示した部分と同様の部分については同一の符号を付して説明を省略する。図２０−２に示すように、増幅装置２００の増幅対象の信号は、データのシンボル２０１３〜２０１７のつぎに、プリアンブルのシンボル２０４１、制御情報のシンボル２０４２、データのシンボル２０４３〜２０４７の順に変化するとする。
【０１３６】
たとえば、シンボル２０１１〜２０１７の信号が、シンボル２０４１〜２０４７の信号と同一または類似の信号である場合は、プリアンブルのシンボル２０４１の瞬時電力分布は、前回のプリアンブルのシンボル２０１１の瞬時電力分布に近い可能性が高い。
【０１３７】
したがって、増幅装置２００は、シンボル２０１１の最初の区間２０２１において測定した瞬時電力分布に基づいて、シンボル２０４１の区間２０５１におけるドハティ増幅器２１０のパラメータの制御を行ってもよい。この場合は、区間２０５１の瞬時電力分布の測定およびドハティ増幅器２１０の総合効率の算出を行わなくてもよいため、処理量を低減することができる。
【０１３８】
同様に、増幅装置２００は、制御情報のシンボル２０１２の最初の区間２０２２において測定した瞬時電力分布に基づいて、制御情報のシンボル２０４２の区間２０５２におけるドハティ増幅器２１０のパラメータの制御を行ってもよい。この場合は、区間２０５２の瞬時電力分布の測定およびドハティ増幅器２１０の総合効率の算出を行わなくてもよいため、処理量を低減することができる。
【０１３９】
図２０−１および図２０−２に示した変形例は、たとえば、上述した各実施の形態に適用することができる。
【０１４０】
（電力の検出方法の変形例）
図２１は、電力の検出方法の変形例を示す図である。図２１において、図８に示した部分と同様の部分については同一の符号を付して説明を省略する。図２１に示すように、信号処理装置８００は、ＩＦＦＴ２１１１と、パラレルシリアル変換器２１１２と、をさらに備えていてもよい。ＩＦＦＴ２１１１（Ｉｎｖｅｒｓｅ  Ｆａｓｔ  Ｆｏｕｒｉｅｒ  Ｔｒａｎｓｆｏｒｍ：逆高速フーリエ変換）には、パラレルの信号が入力される。
【０１４１】
ＩＦＦＴ２１１１は、入力されたパラレルの信号を逆フーリエ変換する。ＩＦＦＴ２１１１は、逆フーリエ変換により得られたパラレルの信号をパラレルシリアル変換器２１１２へ出力する。たとえばドハティ増幅器２１０の増幅対象の信号がＯＦＤＭの信号である場合は、ＩＦＦＴ２１１１へ入力されるパラレルの信号は、周波数（サブキャリア）ごとのデータを示す信号である。この場合は、ＩＦＦＴ２１１１へ入力された周波数ごとの信号は、時間系列の信号に変換されてパラレルシリアル変換器２１１２へ出力される。
【０１４２】
パラレルシリアル変換器２１１２は、ＩＦＦＴ２１１１から出力された時間的に順番があるパラレルの信号を時間順に並べ替える。パラレルシリアル変換器２１１２は、並べ替えたベースバンドデジタル信号をＤＡＣ８１１へ出力する。ＤＡＣ８１１は、パラレルシリアル変換器２１１２から出力されたベースバンドデジタル信号をベースバンドアナログ信号に変換する。
【０１４３】
この場合は、電力検出器２３１は、ＩＦＦＴ２１１１からパラレルシリアル変換器２１１２へ出力されるパラレルの信号の各電力を検出してもよい。これにより、ドハティ増幅器２１０の増幅対象の信号の各瞬時電力を検出することができる。このように、電力検出器２３１は、ドハティ増幅器２１０の増幅対象の信号の各瞬時電力を、同時に得られるパラレルの信号に基づいて検出してもよい。
【０１４４】
図２２は、図２１に示した電力の検出方法のタイミングの一例を示す図である。図２２の横軸は、時間の推移を示している。送信データ２２０１は、ある時刻においてＩＦＦＴ２１１１から出力されたパラレルの信号が、パラレルシリアル変換器２１１２によってシリアル変換され、ＤＡＣ８１１および変調器８１２を経由してドハティ増幅器２１０へ入力された一連のデータである。期間Ｔ１は、送信データ２２０１が増幅装置２００へ入力される期間を示している。この場合は、上述した所定期間は、たとえば期間Ｔ１となる。
【０１４５】
図２１に示したように、電力検出器２３１がＩＦＦＴ２１１１から出力されたパラレルの信号の各電力を検出する場合は、期間Ｔ１の開始時刻ｔａにおいて、期間Ｔ１における送信データ２２０１の各瞬時電力を得ることができる。このため、たとえばパラレルシリアル変換器２１１２によってシリアルに変換された信号に基づいて電力を検出する場合に比べて、期間Ｔ１における送信データ２２０１の各瞬時電力を迅速に検出することができる。このため、増幅対象の信号の瞬時電力分布の変化に対して、ドハティ増幅器２１０のパラメータの制御を迅速に行うことができる。したがって、増幅対象の信号の方式等の変化時のドハティ増幅器２１０の増幅の効率を精度よく制御することができる。
【０１４６】
このように、増幅装置２００による増幅対象の信号が、複数系統の信号からシリアル変換された一系統の信号である場合は、所定時刻における複数系統の信号の各瞬時電力または各瞬時電圧の分布を測定する。これにより、増幅対象の信号の所定期間の頻度分布を、所定期間の終了時刻より前に測定することができる。図２１および図２２に示した変形例は、たとえば、上述した各実施の形態に適用することができる。
【０１４７】
（増幅装置の変形例）
図２３は、増幅装置の変形例１を示す図である。図２３において、図９に示した部分と同様の部分については同一の符号を付して説明を省略する。図２３に示すように、増幅装置２００は、図９に示した構成に加えて、電流計２３０１，２３０２と、更新回路２３０３と、をさらに備えていてもよい。更新回路２３０３は、たとえばＦＰＧＡやＣＰＵなどのデジタル回路によって実現することができる。
【０１４８】
電流計２３０１は、電圧設定回路２３７によってキャリア増幅器２１１へ供給される電流値を測定する。電流計２３０１は、測定した電流値を更新回路２３０３へ出力する。電流計２３０２は、電圧設定回路２３７によってピーク増幅器２１４へ供給される電流値を測定する。電流計２３０２は、測定した電流値を更新回路２３０３へ出力する。
【０１４９】
更新回路２３０３は、増幅装置２００へ入力される信号の現在の瞬時電力と、キャリア増幅器２１１およびピーク増幅器２１４の現在の各設定電圧と、キャリア増幅器２１１およびピーク増幅器２１４の現在の各電流値と、を取得する。
【０１５０】
具体的には、更新回路２３０３は、現在の瞬時電力を電力検出器２３１から取得することができる。また、更新回路２３０３は、キャリア増幅器２１１およびピーク増幅器２１４の現在の各設定電圧を電圧設定回路２３７から取得することができる。また、更新回路２３０３は、キャリア増幅器２１１およびピーク増幅器２１４の現在の各電流値をそれぞれ電流計２３０１，２３０２から取得することができる。そして、更新回路２３０３は、取得した瞬時電力、キャリア増幅器２１１およびピーク増幅器２１４の現在の各設定電圧および各電流値を対応付けてメモリ９０１（記憶部）に書き込む。
【０１５１】
効率算出回路２３３は、電力検出器２３１によってメモリ２３２に現在の瞬時電力が書き込まれると、書き込まれた現在の瞬時電力を読み出す。つぎに、効率算出回路２３３は、読み出した現在の瞬時電力におけるドハティ増幅器２１０の瞬時効率を算出する。そして、効率算出回路２３３は、算出した瞬時効率を、更新回路２３０３によってメモリ９０１に書き込まれた最新の瞬時電力、各設定電圧および各電流値と対応付けてメモリ９０１に記憶する。これにより、メモリ９０１に記憶された、電圧ｖ＿ｃａ，ｖ＿ｐａの各組み合わせに瞬時効率η（ｖ＿ｃａ，ｖ＿ｐａ）が対応付けられた対応情報１０００（たとえば図１０参照）を、実測値に基づいて更新することができる。
【０１５２】
このように、ある瞬時電力の時の実際の電流値を計測し、メモリ９０１の電流値を実測値に置き換えてもよい。これにより、たとえば増幅装置２００の環境等の変化に応じてドハティ増幅器２１０のパラメータを制御し、増幅装置２００の環境等の変化によるドハティ増幅器２１０の増幅の効率の変動を抑えることができる。
【０１５３】
図２４は、増幅装置の変形例２を示す図である。図２４において、図１３または図２３に示した部分と同様の部分については同一の符号を付して説明を省略する。図２４に示すように、増幅装置２００は、図１３に示した構成に加えて、電流計２３０１，２３０２と、更新回路２３０３と、をさらに備えていてもよい。図２４に示す構成においても、たとえば増幅装置２００の環境等の変化に応じてドハティ増幅器２１０のパラメータを制御し、増幅装置２００の環境等の変化によるドハティ増幅器２１０の増幅の効率の変動を抑えることができる。
【０１５４】
図２５は、図２３または図２４に示した増幅装置の更新動作の一例を示すフローチャートである。たとえば初期状態において、メモリ９０１には、たとえば、設計等により決めた対応情報の初期値が記憶されている場合について説明する。まず、更新回路２３０３が、増幅対象の信号の現在の瞬時電力、キャリア増幅器２１１およびピーク増幅器２１４の現在の各設定電圧および各電流値を取得する（ステップＳ２５０１）。
【０１５５】
つぎに、更新回路２３０３は、ステップＳ２５０１によって取得した瞬時電力、キャリア増幅器２１１およびピーク増幅器２１４の現在の各設定電圧および各電流値を対応付けてメモリ９０１に書き込む（ステップＳ２５０２）。
【０１５６】
つぎに、効率算出回路２３３が、電力検出器２３１によって検出されてメモリ２３２に書き込まれた現在の瞬時電力に基づくドハティ増幅器２１０の瞬時効率を算出する（ステップＳ２５０３）。つぎに、効率算出回路２３３が、ステップＳ２５０３によって算出した瞬時効率を、ステップＳ２５０２によって書き込まれた各情報と対応付けてメモリ９０１に書き込み（ステップＳ２５０４）、ステップＳ２５０１へ戻る。
【０１５７】
以上の各ステップにより、メモリ９０１に記憶された、電圧ｖ＿ｃａ，ｖ＿ｐａの各組み合わせに瞬時効率η（ｖ＿ｃａ，ｖ＿ｐａ）が対応付けられた対応情報１０００を、実測値に基づいて更新することができる。
【０１５８】
また、たとえば図２４に示した増幅装置２００は、まず、中間効率ピーク点αごとに算出した総合効率に基づいてドハティ増幅器２１０のパラメータを制御するようにしてもよい。このときは、メモリ９０１の対応情報が記憶されていなくてもよい。中間効率ピーク点αごとに算出した総合効率に基づいて制御することにより、制御後の、電圧ｖ＿ｃａ，ｖ＿ｐａの各組み合わせに瞬時効率ηが対応付けられた対応情報１０００がメモリ９０１に記憶される。つぎに、増幅装置２００は、記憶された対応情報１０００に基づいて、電圧ｖ＿ｃａ，ｖ＿ｐａの組み合わせごとに算出した期間効率に基づいてドハティ増幅器２１０のパラメータを制御することができる。
【０１５９】
図２３〜図２５に示した変形例は、たとえば上述した実施の形態２に適用することができる。
【０１６０】
（総合効率の算出の変形例）
たとえば図４のように、瞬時電力の各測定区間が互いに重複する区間を有する場合は、測定区間の瞬時電力分布に基づく総合効率を算出する場合に、前回の測定区間の瞬時電力分布に基づく総合効率の算出結果を利用することができる。
【０１６１】
たとえば、図４に示した測定区間４２１に含まれる時刻は時刻ｔ（１），ｔ（２），…，ｔ（ｎ）であるとする。また、測定区間４２１のつぎの測定区間４２２に含まれる時刻は時刻ｔ（３），ｔ（２），…，ｔ（ｎ＋２）であるとする。また、測定区間４２１の時刻ｔ（１），ｔ（２），…，ｔ（ｎ）における瞬時電力を瞬時電力Ｐ（１），Ｐ（２），…，Ｐ（ｎ）とする。
【０１６２】
また、測定区間４２１の瞬時電力Ｐ（１），Ｐ（２），…，Ｐ（ｎ）におけるドハティ増幅器２１０の瞬時効率をそれぞれη（１），η（２），…，η（ｎ）とする。また、測定区間４２１の瞬時効率η（１），η（２），…，η（ｎ）に基づくドハティ増幅器２１０の総合効率をηｔとする。
【０１６３】
また、測定区間４２２の瞬時電力Ｐ（３），Ｐ（２），…，Ｐ（ｎ＋２）におけるドハティ増幅器２１０の瞬時効率をそれぞれη（３），η（２），…，η（ｎ＋２）とする。この場合は、測定区間４２２の瞬時効率η（３），η（２），…，η（ｎ＋２）に基づくドハティ増幅器２１０の総合効率ηｔ＿ｎｅｗは、たとえば下記（４）式によって示すことができる。
【０１６４】
ηｔ＿ｎｅｗ＝ηｔ−Ｐ（１）・η（１）−Ｐ（２）・η（２）
＋Ｐ（ｎ＋１）・η（ｎ＋１）＋Ｐ（ｎ＋２）・η（ｎ＋２）  …（４）
【０１６５】
効率算出回路２３３は、上記（４）式によって総合効率ηｔ＿ｎｅｗを算出することができる。すなわち、効率算出回路２３３は、算出済みの測定区間４２１の総合効率ηｔから、測定区間４２１のうちの測定区間４２２には含まれていない時刻ｔ（１），ｔ（２）における効率Ｐ（１）・η（１）および効率Ｐ（２）・η（２）を減算する。また、効率算出回路２３３は、減算後の総合効率ηｔに、測定区間４２２のうちの測定区間４２１には含まれていない時刻ｔ（ｎ＋１），ｔ（ｎ＋２）における効率Ｐ（ｎ＋１）・η（ｎ＋１）および効率Ｐ（ｎ＋２）・η（ｎ＋２）を加算する。
【０１６６】
このように、効率算出回路２３３は、測定区間４２２における総合効率を、測定区間４２２より前の測定区間４２１について算出済みの総合効率と、測定区間４２１および測定区間４２２のうちの互いに重複していない期間における総合効率と、に基づき算出する。これにより、たとえば測定区間４２２の時刻ｔ（３），ｔ（２），…，ｔ（ｎ＋２）のそれぞれの効率に基づいて測定区間４２２の総合効率を算出するよりも処理量を低減することができる。
【０１６７】
この総合効率の算出の変形例は、たとえば、上述した実施の形態１，２に適用することができる。
【０１６８】
以上説明したように、増幅装置および制御方法によれば、増幅対象の信号の瞬時電力の分布に基づいて増幅部１１０のパラメータを制御することにより、信号の特徴が変化しても、増幅の効率を精度よく制御することができる。
【０１６９】
たとえば平均電力に基づいてパラメータを制御する場合は、平均電力は同一で瞬時電力分布が異なるような各状態に対して同一のパラメータを設定してしまい、増幅の効率を高くすることができない。これに対して、瞬時電力の分布に基づいてパラメータを制御することにより、平均電力は同一で瞬時電力分布が異なるような各状態に対して、瞬時電力の分布に応じてそれぞれ増幅の効率がより高くなるパラメータを設定することができる。
【０１７０】
上述した各実施の形態に関し、さらに以下の付記を開示する。
【０１７１】
（付記１）並列に接続された複数の増幅器を含む増幅部と、
前記増幅部によって増幅される信号の瞬時電力または瞬時電圧の所定期間の頻度分布を測定する測定部と、
前記測定部によって測定された頻度分布に基づく前記増幅部の増幅の効率を、前記増幅部の所定のパラメータの複数の候補値について算出する算出部と、
前記算出部によって前記複数の候補値について算出された効率に基づいて前記所定のパラメータを制御する制御部と、
を備えることを特徴とする増幅装置。
【０１７２】
（付記２）前記算出部は、前記増幅部によって増幅される信号の瞬時電力または瞬時電圧と、前記所定のパラメータの複数の候補値と、に対する増幅の効率の特性を示す情報に基づいて、前記頻度分布に基づく前記増幅部の増幅の効率を前記複数の候補値について算出することを特徴とする付記１に記載の増幅装置。
【０１７３】
（付記３）前記制御部は、前記所定のパラメータの複数の候補値のうちの前記算出された効率が所定の条件を満たす候補値によって前記所定のパラメータを制御することを特徴とする付記１または２に記載の増幅装置。
【０１７４】
（付記４）前記増幅部は、出力電圧に対する増幅の効率の特性に極大点を複数有し、
前記所定のパラメータは、前記複数の極大点に対応する複数の前記出力電圧のうちの最大ではない中間電圧を含み、
前記制御部は、前記複数の増幅器のうちの少なくとも一方の増幅器への供給電圧を変化させることにより前記中間電圧を制御することを特徴とする付記１〜３のいずれか一つに記載の増幅装置。
【０１７５】
（付記５）前記所定のパラメータは、前記複数の増幅器のうちの少なくとも一方の増幅器への供給電圧を含むことを特徴とする付記１〜４のいずれか一つに記載の増幅装置。
【０１７６】
（付記６）前記増幅部は、出力側の直流電圧に対する増幅の効率の特性に極大点を複数有し、
前記所定のパラメータは、前記複数の極大点に対応する複数の前記出力電圧のうちの最大ではない中間電圧を含み、
前記算出部は、前記頻度分布に基づく前記増幅部の増幅の効率を前記中間電圧の複数の候補値について算出するとともに、前記頻度分布に基づく前記増幅部の増幅の効率を前記供給電圧の複数の候補値について算出し、
前記制御部は、前記算出部によって前記中間電圧の複数の候補値について算出された効率と、前記算出部によって前記供給電圧の複数の候補値について算出された効率と、のいずれかに基づいて前記供給電圧を制御することを特徴とする付記５に記載の増幅装置。
【０１７７】
（付記７）前記所定期間は周期的な期間であり、
前記測定部は、前記周期的な期間のそれぞれについて前記頻度分布を測定することを特徴とする付記１〜６のいずれか一つに記載の増幅装置。
【０１７８】
（付記８）前記周期的な期間のうちの連続する各期間は互いに重複する期間を含むことを特徴とする付記７に記載の増幅装置。
【０１７９】
（付記９）前記測定部は、周期的な第一期間のそれぞれの前記頻度分布を測定すると同時に、前記第一期間より周期が短い周期的な第二期間のそれぞれの前記頻度分布を測定し、
前記算出部は、前記第一期間の前記頻度分布に基づく前記増幅部の増幅の第一効率と、前記第二期間の前記頻度分布に基づく前記増幅部の増幅の第二効率と、のそれぞれを前記複数の候補値について算出し、
前記制御部は、前記算出部によって算出された第一効率に基づいて前記所定のパラメータを制御する第一制御において、前記算出部によって算出された第二効率に基づいて前記信号の瞬時電力の頻度分布の変化を検出した場合に、前記算出部によって算出された第二効率に基づいて前記所定のパラメータを制御する第二制御に切り替えることを特徴とする付記１〜８のいずれか一つに記載の増幅装置。
【０１８０】
（付記１０）前記制御部は、前記信号の瞬時電力の頻度分布の変化を検出して前記第二制御に切り替えた後に、前記信号の瞬時電力の頻度分布の変化の検出より後に始まった前記第一期間の前記頻度分布に基づいて前記算出部によって算出された前記第一効率に基づく前記第一制御を行うことを特徴とする付記９に記載の増幅装置。
【０１８１】
（付記１１）前記測定部は、前記信号の性質の変化のタイミングを示す情報に基づいて、前記信号の性質が変化した直後の期間の前記頻度分布を測定することを特徴とする付記１〜１０のいずれか一つに記載の増幅装置。
【０１８２】
（付記１２）前記測定部は、前記直後の期間の前記頻度分布を測定した場合に、前記タイミングを示す情報に基づいて、前記信号の性質がつぎに変化するまでは前記頻度分布の測定を行わないことを特徴とする付記１１に記載の増幅装置。
【０１８３】
（付記１３）前記信号は、複数系統の信号からシリアル変換された一系統の信号であり、
前記測定部は、所定時刻における前記複数系統の信号の各瞬時電力または各瞬時電圧の分布を測定することにより、前記一系統の信号の前記所定期間の頻度分布を測定することを特徴とする付記１〜１２のいずれか一つに記載の増幅装置。
【０１８４】
（付記１４）前記制御部は、制御した前記供給電圧と、前記瞬時電力または前記瞬時電圧と、前記瞬時電力または前記瞬時電圧における前記増幅部の増幅の効率と、を対応付けた対応情報を記憶部に記憶し、
前記算出部は、前記記憶部に記憶した対応情報に基づいて、前記頻度分布に基づく前記増幅部の増幅の効率を前記複数の候補値について算出することを特徴とする付記５に記載の増幅装置。
【０１８５】
（付記１５）前記制御部は、
前記算出部によって前記中間電圧の複数の候補値について算出された前記頻度分布に基づく前記増幅部の増幅の効率に基づいて前記供給電圧を制御し、
制御した前記供給電圧と、前記瞬時電力または前記瞬時電圧と、前記瞬時電力または前記瞬時電圧における前記増幅部の増幅の効率と、を対応付けた対応情報を記憶部に記憶し、
前記記憶部に記憶した対応情報に基づいて前記算出部によって前記供給電圧の複数の候補値について算出された前記頻度分布に基づく前記増幅部の増幅の効率に基づいて、前記供給電圧を制御することを特徴とする付記６に記載の増幅装置。
【０１８６】
（付記１６）前記算出部は、第一の所定期間における前記増幅部の増幅の効率を、前記第一の所定期間より前の、前記第一の所定期間と重複する期間を有する第二の所定期間の前記頻度分布に基づいて算出済みの前記増幅部の増幅の効率と、前記第一の所定期間および前記第二の所定期間のうちの互いに重複していない期間における前記増幅部の増幅の効率と、に基づいて算出することを特徴とする付記１〜１５のいずれか一つに記載の増幅装置。
【０１８７】
（付記１７）前記増幅部は、第一増幅器と、前記第一増幅器の後段に直列に接続され、前記信号の中心波長の１／４の長さの第一伝送線路と、前記第一増幅器および前記第一伝送線路に対して並列に接続された第二増幅器と、前記第二増幅器の前段に直列に接続され前記長さの第二伝送線路と、を含むことを特徴とする付記１〜１６のいずれか一つに記載の増幅装置。
【０１８８】
（付記１８）並列に接続された複数の増幅器を含む増幅部の制御方法において、
前記増幅部によって増幅される信号の瞬時電力または瞬時電圧の所定期間の頻度分布を測定し、
測定した前記頻度分布に基づく前記増幅部の増幅の効率を、前記増幅部の所定のパラメータの複数の候補値について算出し、
前記複数の候補値について算出した前記頻度分布に基づく前記増幅部の増幅の効率に基づいて前記所定のパラメータを制御することを特徴とする制御方法。
【符号の説明】
【０１８９】
１００，２００  増幅装置
１１０  増幅部
１１１，１１２  増幅器
１２０  測定部
１２１  頻度分布
１３０  算出部
１４０  制御部
２１０  ドハティ増幅器
２１１  キャリア増幅器
２１２，２１３  １／４波長線路
２１４  ピーク増幅器
２２０  出力負荷
２３１  電力検出器
２３２，２３４，９０１，１３０１  メモリ
２３３  効率算出回路
２３５  ピーク点選択回路
２３６  電圧値変換回路
２３７，１３０２  電圧設定回路
３００  瞬時電力系列
４１１，４１２  信号区間
４２１〜４２９，４３１〜４３５  測定区間
５００  瞬時電力分布
６００  瞬時効率特性
７００，１１００  算出結果
８００  信号処理装置
８１１  ＤＡＣ
８１２  変調器
９０２  電圧選択回路
１０００，１５００  対応情報
１４００  関係情報
１６３１  ＩＦ変換器
２０１１〜２０１７，２０４１〜２０４７  シンボル
２０２１〜２０２３，２０５１，２０５２  区間
２０３１〜２０３３  期間
２１１１  ＩＦＦＴ
２１１２  パラレルシリアル変換器
２２０１  送信データ
２３０１，２３０２  電流計
２３０３  更新回路
【図１】
0005810989.tif 000005
【図２】
0005810989.tif 000006
【図３】
0005810989.tif 000007
【図４】
0005810989.tif 000008
【図５】
0005810989.tif 000009
【図６】
0005810989.tif 000010
【図７】
0005810989.tif 000011
【図８】
0005810989.tif 000012
【図９】
0005810989.tif 000013
【図１０】
0005810989.tif 000014
【図１１】
0005810989.tif 000015
【図１２】
0005810989.tif 000016
【図１３】
0005810989.tif 000017
【図１４】
0005810989.tif 000018
【図１５】
0005810989.tif 000019
【図１６−１】
0005810989.tif 000020
【図１６−２】
0005810989.tif 000021
【図１６−３】
0005810989.tif 000022
【図１６−４】
0005810989.tif 000023
【図１７−１】
0005810989.tif 000024
【図１７−２】
0005810989.tif 000025
【図１７−３】
0005810989.tif 000026
【図１８】
0005810989.tif 000027
【図１９】
0005810989.tif 000028
【図２０−１】
0005810989.tif 000029
【図２０−２】
0005810989.tif 000030
【図２１】
0005810989.tif 000031
【図２２】
0005810989.tif 000032
【図２３】
0005810989.tif 000033
【図２４】
0005810989.tif 000034
【図２５】
0005810989.tif 000035